(57)【要約】【課題】従来の生体信号検出装置の構成では、ベッドなどの就寝装置の周囲を人が歩行した場合など外来振動がセンサに印加されることで生体信号に重畳しノイズとなって測定精度を低下させるという課題があった。【解決手段】生体の発生した圧力変動を検知する可撓性を持つ感圧手段と、前記感圧手段と交差するよう配置された複数の凹凸を有する複数の押圧部材と防振部材を有し、前記押圧部材は前記感圧手段をはさむように重ねて配置し、前記感圧手段は前記押圧部材の凹凸により押圧変形され、前記感圧手段を挟んだ押圧部材を防振部材と併設する構成としたことでベッドに外来振動が加わっても高い精度を実現する生体信号検出装置を提供することが出来る。【選択図】図４
2008188079.tif 000002
【特許請求の範囲】
【請求項１】
生体の発生した圧力変動を検知する可撓性を持つ感圧手段と、前記感圧手段と交差するよう配置された複数の凹凸を有する複数の押圧部材と防振部材を有し、前記押圧部材は前記感圧手段をはさむように重ねて配置し、前記感圧手段は前記押圧部材の凹凸により押圧変形され、前記感圧手段を挟んだ押圧部材を防振部材と併設する構成とした生体信号検出装置。
【請求項２】
防振部材は感圧手段を挟支した押圧部材の下に配置する構成とした請求項１記載の生体信号検出装置。
【請求項３】
防振部材を就寝装置に配置する構成とした請求項１記載の生体信号検出装置を用いた就寝装置。
【請求項４】
防振部材を就寝装置の脚部の下に配置する構成とした請求項３記載の就寝装置。
【請求項５】
就寝装置の枠と前記就寝装置の床板との間に防振部材を配置する構成とした請求項３記載の就寝装置。
【請求項６】
防振部材は防振弾性体である請求項１から５のいずれか１項記載の生体信号検出装置および就寝装置。
【請求項７】
感圧手段としてケーブル状圧電センサを用いた請求項１から６のいずれか１項記載の生体信号検出装置および就寝装置。
【発明の詳細な説明】
【技術分野】
【０００１】
本発明は、ベッド等の就寝装置に設置し、心拍などの信号を検出する生体信号検出装置に関するものである。
【背景技術】
【０００２】
従来、この種の生体信号検出装置は、就寝装置など生体の荷重の掛かる製品に設置するもので、検出感度を向上させるため、生体信号検出手段と凹凸部材を組み合わせた構造を持つものがある（例えば、特許文献１参照）。
【０００３】
図１１は特許文献１に記載された従来の生体信号検出装置の検出部の構成図、図１２は生体信号検出装置をベッドなどの就寝装置に設置したときの断面図である。図１１、図１２において、従来の生体信号検出装置１は、表面に凹凸のつけられた板２の上に検出手段を配置し、それを就寝装置であるベッド３のマットレス４の下に配置し、生体５からの振動が加わったときに板２の凹凸に沿うように検出手段６を変形させて生体信号を得る構成である。
【特許文献１】特開２００５−１３２５９号公報
【発明の開示】
【発明が解決しようとする課題】
【０００４】
しかしながら、前記従来の構成では、ベッド３の周囲を人が歩行した場合など外来振動が検出手段６に印加されることで生体信号に重畳しノイズとなって測定精度を低下させるという課題があった。
【０００５】
本発明は、前記従来の課題を解決するもので、就寝装置に外来振動が加わっても高い検出精度を実現する生体信号検出装置を提供することを目的とする。
【課題を解決するための手段】
【０００６】
前記従来の課題を解決するために、本発明の生体信号検出装置は、生体の発生した圧力変動を検知する可撓性を持つ感圧手段と、前記感圧手段と交差するよう配置された複数の凹凸を有する複数の押圧部材と防振部材を有し、前記押圧部材は前記感圧手段をはさむように重ねて配置し、前記感圧手段は前記押圧部材の凹凸により押圧変形され、前記感圧手段を挟んだ押圧部材を防振部材と併設する構成とした。そのため、就寝装置の近傍を、同居人や介護者が歩行することで発生する振動ノイズは、前記防振部材により前記感圧手段への伝達を抑制されるので、高い精度で生体信号を検出できる生体信号検出装置およびそれを用いた就寝装置を提供することができる。
【発明の効果】
【０００７】
本発明の生体信号検出装置は、振動ノイズの影響を受けにくく高い精度で生体から発生する振動信号を検出できる物を提供することができる。
【発明を実施するための最良の形態】
【０００８】
第１の発明は、生体の発生した圧力変動を検知する可撓性を持つ感圧手段と、前記感圧手段と交差するよう配置された複数の凹凸を有する複数の押圧部材と防振部材を有し、前記押圧部材は前記感圧手段をはさむように重ねて配置し、前記感圧手段は前記押圧部材の凹凸により押圧変形され、前記感圧手段を挟んだ押圧部材を防振部材と併設する構成としたので、近傍を人などが歩行することで発生する振動ノイズは、前記防振部材により前記感圧手段への伝達を抑制されるので、高い精度で生体信号を検出できる生体信号検出装置
を提供することができる。
【０００９】
第２の発明は、特に第１の発明において、防振部材は感圧手段を挟支した押圧部材の下に配置する構成としたので、特に下面から伝わる振動ノイズを抑制するため、高い精度で生体信号を検出できる生体信号検出装置を提供することができる。
【００１０】
第３の発明は、特に第１の発明において、防振部材を就寝装置に配置する構成としたので、就寝装置の近傍を、同居人や介護者が歩行することで発生する振動ノイズは、前記防振部材により前記感圧手段への伝達を抑制されるので、高い精度で生体信号を検出できる生体信号検出装置を用いた就寝装置を提供することができる。
【００１１】
第４の発明は、特に第３の発明において、防振部材を就寝装置の脚部の下に配置する構成としたので、就寝装置の近傍を、同居人や介護者が歩行することで発生する振動ノイズは、前記脚部に設置した前記防振部材により就寝装置への伝達が抑制される結果、前記感圧手段への伝達を抑制されるので、高い精度で生体信号を検出できる生体信号検出装置を用いた就寝装置を提供することができる。
【００１２】
第５の発明は、特に第３の発明において、就寝装置の枠と前記就寝装置の床板との間に防止部材を配置する構成としたので、就寝装置の近傍を、同居人や介護者が歩行することで発生する振動ノイズは、前記防振部材により前記床板への伝達を抑制される結果、前記感圧手段への伝達も抑制されるので、高い精度で生体信号を検出できる生体信号検出装置を用いた就寝装置を提供することができる。
【００１３】
第６の発明は、特に第１から第５のいずれか１つに記載の発明において、防振部材は防振弾性体であるので、弾性体としてゴムなどを用いることでシート状にすることができるため、容易に生体信号検出装置の下や就寝装置に組み込むことができるので、容易に高い精度で生体信号を検出できる生体信号検出装置を用いた就寝装置を提供することができる。
【００１４】
第７の発明は、特に第１から第６のいずれか１つに記載の発明において、感圧手段としてケーブル状圧電センサを用いたので、検出した生体信号を伝達する中心電極に対し外部電極がシールドの役を果たし外来電磁波ノイズの影響を受けにくい物となる。よって、生体信号の収集や処理のために近くで電子機器を用いたり、携帯電話などの通信機器等を近くで使用したりしてもノイズが重畳することの少ない信頼性と精度の高い生体信号検出装置およびそれを用いた就寝装置を提供することができる。
【００１５】
以下、本発明の実施の形態について、図面を参照しながら説明する。なお、この実施の形態によって本発明が限定されるものではない。
【００１６】
（実施の形態１）
図１は生体荷重のかかっていない場合の生体信号検出装置の側面断面図、図２は生体信号検出装置の平面部分断面図、図３は、本発明の第１の実施の形態における生体信号検出装置が設置されたベッド（就寝装置）の構成図、図４は生体信号検出装置が設置されたベッドの断面図、図５はベッドに設置された生体信号検出装置へ伝わる振動の伝達率を示す特性図である。また、図６は感圧手段の断面図、図７は生体信号検出装置のブロック図である。
【００１７】
図１及び図２において、生体信号検出装置７は、平行でほぼ等間隔に並んだ複数の凹凸８を有する金属板よりなる２枚の押圧板（押圧部材）９ａ、９ｂと、シート状の防振ゴムなどよりなる防振部材１０と可撓性を有する感圧手段１１と、感圧手段１１を保持するス
ポンジやゴムなどの弾性部材からなる支持体１２と、押圧板９ａ、９ｂを両端で支持する金属などからなる連結部材１３からなる。連結部材１３は押圧板９ａ、９ｂ端部の凹凸８のない部分に設置され、この例では図２に示すように押圧板９ａ、９ｂの両端部に設置している。防振部材１０は押圧板９ｂの下面に配置され、押圧板９ｂがベッドに直接接触しない様に支えている。図１では生体信号検出装置７には荷重かかかっていないので、感圧手段１１は変形していない。
【００１８】
このとき、感圧手段１１としては１本のケーブル状の圧電センサ１１を用い、図２に示すように押圧板９ａ、９ｂの間に蛇行配置される。このとき圧電センサ１１が移動しないように支持体１２には溝が彫ってあり、その溝にはめ込むことにより圧電センサ１１が保持される。押圧板９ａ、９ｂの凹凸８は、例えばプレス加工などにより金属板を曲げることで形成されている。そのため、押圧板９ａ、９ｂの下面の凹凸８は、上面から見ても凹凸８を有する事になる。そして、押圧板９ａ、９ｂ、の凹凸８は生体信号検出装置７として重ねて設置したときに、同じ位置になるように配置されている。
【００１９】
そしてこの例では凹凸８と圧電センサ１１とは約９０度の角度において複数の点で交差する。また、凹凸８は生体が就寝した際に、生体の身長方向と平行になるような方向に形成されている。
【００２０】
また、圧電センサ１１の一端には圧電センサ１１からの出力信号を処理する制御ユニット１４が接続されている。
【００２１】
以下に生体信号検出装置７の動作作用を説明する。図３、図４においてベッド３の床板１５の上に生体信号検出装置７が配置され、その上にマットレス１６を配しさらにその上に生体である人体５が就寝している。このとき、人体５からの心拍や呼吸などの生体信号に起因する振動はマットレス１６を介して伝わり生体信号検出装置７に達する。そのとき圧電センサ１１は押圧板９ａの凹凸８の断面形状に沿って支持体１２とともにその下面に設置されている押圧板９ｂの凹凸８の窪みに入り込むことで圧電センサ１１に大きな曲げ作用が加わり大きな信号出力が発生する。また荷重や振動がない場合は、支持体１２の弾性による復元力のため圧電センサ１１とともに元の形状に復元する。さらに、凹凸８は板状の押圧板９ａ、９ｂに配されているので板自体が撓み変形を起こし、例えばマットレス１６の中央の荷重や振動によって、マットレス１６の中央部分においてより大きな変形を起こし高い感度で生体信号を検出することが出来る。
【００２２】
また、ベッド３の周囲近傍を、同居人や介護者が歩行することに起因する振動ノイズは圧電センサ１１が検出して信号を発生してしまうため、検出精度を低下させる要因となるが、押圧板９ｂの下面に設置した防振部材１０により、床からベッド３の床板１５を伝わる振動ノイズの圧電センサ１１への伝達を抑制することが可能となる。また、押圧板９ｂの下に防振部材１０を配しているので押圧板９ａの上面から伝達される生体信号は減衰することなく圧電センサ１１に伝わり、高い精度で生体信号を検出することができる。尚、精度を低下させる振動ノイズとしては工事や車両の通行なども考えられるが、いずれの場合も歩行の振動ノイズと同様に床を伝わりベッド３を振動させるものであるため、ベッド３と押圧板９ｂの間に配した防振部材１０により振動を抑制することができる。また防振部材１０として防振ゴムを用いることによりシート状にすることができるため、容易に生体信号検出装置７の下やベッド３に組み込むことができ、容易に高い精度で生体信号を検出できる。
【００２３】
また、ベッド３のそばで使用される可能性の高い携帯電話や計測機器などデジタル機器のノイズの周波数帯域は数ＭＨｚから数ＧＨｚであり、また電気製品の商用電源によるノイズは５０Ｈｚから６０Ｈｚ程度であるのに対して、心拍信号や呼吸信号などの生体信号
は数Ｈｚ程度であり、それと比較してノイズの周波数帯域は十分大きいので、電気回路によるローパスフィルタなども比較的容易に構成でき、十分な効果が得られる。しかし、ベッド３周囲の歩行などによる振動ノイズはベッド３や生体信号検出装置７などの共振周波数の影響を受けるが、実際に計測したところ十数Ｈｚ前後となり生体信号の周波数に近く、生体信号に影響を与えることなく振動ノイズのみ除去するローパスフィルタを電気回路で構成するためには非常に急峻な特性をもつ複雑な回路構成のローパスフィルタが必要となり、現実的な構成として、実際には生体信号を犠牲にせざるを得なかった。しかし、防振部材１０を押圧板９ｂの下に設置することにより生体信号の検出レベルに影響を与えることなく振動ノイズを効果的に抑制し高い精度で生態信号を検出することができる。また防振部材１０としては、上述したように歩行などの振動ノイズである十数Ｈｚ以上の周波数帯域を減衰させる特性をもつ物が好適である。
【００２４】
図５を用いて説明すると、一般的に防振部材１０を解して伝達する振動は図５に示すような特性を持っている。図５はベッドに設置した生体信号検出装置７へ伝わる振動の伝達率を示す特性図である。ここで、τは振動伝達率、ｆは歩行などによる振動ノイズの周波数、ｆ０はベッドの質量や生体信号検出装置の質量および防振部材１０の物性などによって決まる固有周波数である。このとき防振効果を得るにはτを１以下にする必要がある。つまりｆ／ｆ０＞√２を満たす物性を持つ防振部材１０を用いることで振動ノイズの伝達を抑制する効果が得られる。
【００２５】
歩行の振動ノイズは上述したように十数Ｈｚであり、例えば１０Ｈｚ以上の振動を抑制すれば効果があると考えられる。従って、ｆを約１０Ｈｚとして計算すると、ｆ０＜７Ｈｚを満たす物性を持つ防振部材１０を用いるのが好ましい。尚、生体信号検出装置７を設置するベッド３ごとにｆ０を実際に測定して適切な物性値を持つ防振部材１０を設計すればさらに効果が増大する。さらにまた、抑制したい振動ノイズの周波数も実測して設計することで、歩行による振動ノイズのみならず、自動車や電車など交通機関の走行振動や、工事による振動なども抑制することができる。
【００２６】
尚、また複数種類の異なる周波数帯域での減衰特性をもつ防振部材を配置することで、ベッド３の違いなどによる歩行振動ノイズの共振周波数のずれを補完する構成としてもよい。その場合、異なる固有周波数ｆをもつ複数のシート状防振ゴムを重ねて押圧板９ｂの下に配置してもよいし、複数のシート状防振ゴムを用意し、ベッド３や生体信号検出装置７などの共振周波数に合わせて適宜選択配置してもよい。
【００２７】
実験において、直径約２．５ｍｍの圧電センサ１１を用い、押圧板９ａ、９ｂ、として厚さ０．８ｍｍの金属板に高さ約１０ｍｍの凹凸８を３０〜１００ｍｍ間隔で複数配置することで、良好な結果を得ることができた。
【００２８】
また生体信号検出装置７の設置領域について説明すると、幅方向寸法は、成人の標準体型をもとに、人体５の肩幅より大きく床板１５の幅より小さい値にしてある。そして、縦方向寸法は、使用を前提とする成人の頭部から胸部の少なくとも一部が掛かるような大きさとしており、また頭部から胸部の少なくとも一部が掛かるようなベッド３上の位置に設置される。そして、このような大きさおよび設置位置にすることで、生体信号検出装置７は人体５の就寝位置が寝返りなどでずれても人体５からの振動が伝達され得る領域に配設されているので、就寝位置によらず十分に人体５から発生する生体信号を検知することができる。
【００２９】
また、本発明の生体信号検出装置７は、床板１５とマットレス１６の間に設置するため、生体信号検出装置７と人体５の間にはマットレス１６が介在し、直接接する事が無いため、就寝を阻害しない物とすることができる。
【００３０】
尚、生体信号検出装置７の配置場所に関しては本実施の形態に限られることは無く、床もしくは畳と敷布団の間でもかまわない。
【００３１】
また尚、この例ではベッドなどの就寝具に生体信号検出装置７を設置する例を説明したが、これに限られることは無く、椅子や座布団などに設置して用いてもかまわない。すなわち、人体荷重を継続的に受ける生活用品であれば、本実施の形態のよう生体信号を検出することが可能となる。その場合、本実施の形態の生体信号検出装置７を、例えば椅子の座面とクッションの間、畳と座布団の間に設置する。
【００３２】
また、支持体１２と圧電センサ１１は、はめ込みによる固定としたが、接着剤や粘着テープにより固定しても良い。
【００３３】
また、凹凸８の高さや配置間隔もこの例は１例であり発明の効果がこれに限定されるものではない。さらに、本実施の形態では凹凸８は、就寝した生体５の身長方向に平行になる方向に配置したが、身長方向と直交する方向としてもよく、その場合は圧電センサ１１もそれにあわせて凹凸８と直交するように配置される。
【００３４】
また、防振部材１０として防振ゴムによる構成を説明したがこれに限られず、低反発スポンジ、袋状の部材に詰めた液体やゲル状の部材などを用いてもよい。いずれもシート状のものが好ましい。
【００３５】
また、押圧部材として押圧板９ａ、９ｂを使用する例を示したがこれに限られず、ブロック状の押圧ブロックを用いても同様の作用効果が得られる。
【００３６】
以下に本発明の生体信号検出装置７に用いる圧電センサ１１について説明する。
【００３７】
図６において、圧電センサ１１は内側電極として導体からなる中心電極１１１、感圧部材である圧電体層１１２、導体からなる外側電極１１３、弾性体からなる被覆層１１４を備えている。圧電体層１１２はポリフッ化ビニリデン等の樹脂系の高分子圧電体や、特定の樹脂基材中に圧電セラミックスの粉体を混合した複合圧電体を用いることができる。そして外側電極１１３は内側電極１１１と圧電体層１１２を囲うように配置されており、圧電センサ１１は同軸ケーブル状となるため信号を伝達する中心電極１１１に対し外部電極１１３がシールドの役を果たし外来電磁波ノイズの影響を受けにくい物となる。よって、生体信号の収集や処理するために電子機器を近くで使用したり、携帯電話などの通信機器等を近くで使用したりしても圧電センサ１１にノイズが重畳することの少ない信頼性の高い生体信号検出装置７を提供することができる。特に、押圧部材９ａ、９ｂが導電性のない部材で構成された場合により大きな効果を発揮する。
【００３８】
尚、内側電極と外側電極を持つケーブル状の感圧手段として同軸ケーブル状の圧電センサ１を例として示したが、本発明はこれに限られることは無く、中心導体が複数あるケーブル、中心導体が外側電極の中心から偏心しているケーブル、断面形状が円形ではないケーブルなどを用いても同様の効果がある。
【００３９】
次に、圧電センサ１１出力信号の処理例と、人体５からの生体信号の検出作用を説明する。図７は本発明の第１の実施の形態における生体信号検出装置７のブロック図である。図７において、制御ユニット１４は、検出手段１７、判定手段１８、報知手段１９を備えている。検出手段１７は、圧電センサ１１からの出力信号を所定の濾波特性で濾波し、かつ、所定の増幅度で増幅を行うフィルタ部２０と、フィルタ部２０の出力信号を予め設定された設定値と比較を行うコンパレータ部２１とを備えている。フィルタ部２０の濾波特
性としては、例えばノイズとして信号に重畳しやすい商用電源周波数は５０Ｈｚおよび６０Ｈｚであるが、生体１５の信号、例えば心拍などは１Ｈｚ前後、呼吸などは０．１Ｈｚ前後、体動などは数Ｈｚの範囲なので、濾波特性としては例えば、０．０５Ｈｚ〜２０Ｈｚの信号成分を通過させるバンドパスフィルタとする。
【００４０】
以上のように構成された生体信号検出装置７について、以下その動作、作用を特に心拍を検出する場合について図８に基づいて説明する。図８は人体５の心拍に由来する振動が圧電センサ１１に加わったときの圧電センサ１１の出力に対応するフィルタ部２０の出力信号Ｖとコンパレータ部２１の出力信号Ｊの経時変化を示す特性図である。
【００４１】
まず、図４のように、ベッド３の上に人体５が横たわると、人体５からの体重などの圧力や心拍等の振動等がマットレス１５を介して圧電センサ１１に印加される。このとき圧電センサ１１は変形し、圧電効果により圧電センサ１１の変形の加速度に応じた信号が出力される。そのため、変動の無い体重による圧力等は検出されず変動のある振動成分のみが検出され、例えば体の動きや呼吸、心拍信号等を検出する。このとき特に押圧板９ａ、９ｂの凹凸８の部分で圧電センサ１１の曲げ変形が大きくなり、より大きな出力信号が得られる。そして、圧電センサ１１の出力信号は、フィルタ部２０により心拍などの人体５からの振動の接触時の周波数帯域である０．０５〜２０Ｈｚの信号を通過させ、他の周波数帯の信号は除去される。心拍振動の検出時には、Ｖに基準電位Ｖ０より大きな信号成分が現れる。そして変形量の２次微分値である加速度も大きくなり、結果として圧電センサの出力信号も大きくなる。コンパレータ部２１はＶのＶ０からの振幅｜Ｖ−Ｖ０｜がＤ０より大ならば心拍振動を検出した判定し、時刻ｔ１で判定出力としてＬｏ→Ｈｉ→Ｌｏのバルス信号を出力する。
【００４２】
上述したように、コンパレータ部２１から出力された信号が判定手段１８に入力され例えば心拍信号の周期Δｔより心拍周期つまり心拍数がわかり、報知手段１９により心拍数を表示したり音声により報知したりすることができる。
【００４３】
（実施の形態２）
本発明の第２の実施の形態における生体信号検出装置について図９を用いて説明する。図９は生体信号検出装置を設置したベッドの断面図である。
【００４４】
第１の実施の形態との違いは、生体信号検出装置への振動伝達を抑制する防振部材をベッドフレームと床板の間に設置した点である。
【００４５】
実施の形態１と同一符号の物は同様の動作、作用、効果を示し説明を省略する。
【００４６】
図９に示すようにベッド３の床板１５はベッドフレーム２２の左右で支持されている。その支持部の間に防振ゴムなどの防振部材２３を設置している。これにより、ベッド３の周囲近傍を、同居人や介護者が歩行することに起因する振動ノイズは床からベッドフレーム２２には伝わるが床板１５に伝達するのを抑制できるため、振動ノイズの圧電センサ１１への伝達を抑制することができる。また、床板１５の下に防振部材２３を配しているので生体信号検出装置２４上面から伝達される生体信号は減衰することなく圧電センサ１１に伝わり高い精度で生体信号を検出することができる。この実施の形態では生体信号検出装置２４の下面には防振部材を配置していなくても実施例１と同様の効果があるが、防振部材を配置してもかまわない。その場合はさらに振動ノイズの抑制効果が高まる。
【００４７】
（実施の形態３）
本発明の第３の実施の形態における生体信号検出装置について図１０を用いて説明する。図１０は生体信号検出装置を設置したベッドの側面図である。
【００４８】
第１および第２の実施の形態との違いは、生体信号検出装置への振動伝達を抑制する防振部材をベッドフレーム脚部の下に設置した点である。実施の形態１および２と同一符号の物は同様の動作、作用、効果を示し説明を省略する。
【００４９】
図１０に示すようにベッドフレーム２２の４ヶ所の脚部２５下に、防振ゴムなどの防振部材２６を設置している。これにより、ベッド３の周囲近傍を、同居人や介護者が歩行することに起因する振動ノイズが床からベッドフレーム２２に伝わるのを抑制できるため、振動ノイズの圧電センサ１１への伝達を抑制することが可能となる。また、ベッドフレーム脚部２５に防振部材２６を配しているので生体信号検出装置２４の上面から伝達される生体信号は減衰することなく圧電センサ１１に伝わり高い精度で生体信号を検出することができる。
【００５０】
尚、防振部材２６として防振ゴムを用いる例を示したがこれに限られず、油や空気などを封入したダンパーなどを防振部材２６として脚部２５に設置しても同様の効果が得られる。
【００５１】
尚、実施の形態１から３では感圧手段としてケーブル状の圧電センサ１１を用いたが、他の形態の圧電センサでもよく感圧手段として例えばＰＶＤＦ薄膜の両面を電極で挟んだフィルム状またはリボン状の圧電センサを用いても同様の効果が得られる。
【００５２】
尚、実施の形態１から３では感圧手段として圧電センサ１１を用いた構成であったが、感圧手段に、押圧変形に感応して透過光が変調する特性を持つ光ファイバを用いても同様の効果がある。
【産業上の利用可能性】
【００５３】
以上のように、本発明にかかる生体信号検出装置は、圧電センサと押圧部材に防振部材を併設したので、精度よく生体信号を検出することが出来、上記のようににベッドに設置して生体信号の取得に活用できるとともに、例えば、マッサージチェアのようなリラクゼーション機器、自動車用座席、娯楽施設の座席等に設置して、生体信号を検出するシステムとしても適用できる。また、ペット用マット等人体に限らず動物の生体信号を検出する用途にも応用可能である。
【図面の簡単な説明】
【００５４】
【図１】本発明の実施の形態１における生体信号検出装置の側面断面図
【図２】本発明の実施の形態１における生体信号検出装置の平面断面図
【図３】本発明の実施の形態１における生体信号検出装置を配置したベッドの構成図
【図４】本発明の実施の形態１における生体信号検出装置を配置したベッドの断面図
【図５】本発明の実施の形態１における生体信号検出装置へ伝わる振動の伝達率を示す特性図
【図６】本発明の実施の形態１における圧電センサの断面図
【図７】本発明の実施の形態１における生体信号検出装置のブロック図
【図８】本発明の実施の形態１における生体信号検出装置で、人体からの生体信号を受けたときのフィルタ部の出力信号Ｖとコンパレータ部の出力信号Ｊの経時変化を示す特性図
【図９】本発明の実施の形態２における生体信号検出装置を設置したベッドの断面図
【図１０】本発明の実施の形態３における生体信号検出装置を設置したベッドの側面図
【図１１】従来の生体信号検出装置の構成図
【図１２】従来の生体信号検出装置を設置した就寝装置の断面図
【符号の説明】
【００５５】
３  ベッド（就寝装置）
７  生体信号検出装置
８  凹凸（押圧部材が有する複数の凹凸）
９ａ、９ｂ  押圧板（複数の凹凸を有する押圧部材）
１０  防振部材
１１  圧電センサ（可撓性を持つ感圧手段）
１５  床板
２２  ベッドフレーム（就寝装置の枠）
２３  防振部材
２４  生体信号検出装置
２５  ベッド脚部（就寝装置の脚部）
２６  防振部材
【図１】
2008188079.tif 000003
【図２】
2008188079.tif 000004
【図３】
2008188079.tif 000005
【図４】
2008188079.tif 000006
【図５】
2008188079.tif 000007
【図６】
2008188079.tif 000008
【図７】
2008188079.tif 000009
【図８】
2008188079.tif 000010
【図９】
2008188079.tif 000011
【図１０】
2008188079.tif 000012
【図１１】
2008188079.tif 000013
【図１２】
2008188079.tif 000014